(57)【特許請求の範囲】
【請求項１】
扁平な袋体に、電磁波によって加熱可能な複数の粒状体と、マッサージ用ボールとを充填してなり、
マッサージ用ボールは、前記粒状体及び該マッサージ用ボールを充填した袋体の厚みの半分以上の直径を有し、
体表に当てた状態で、マッサージ用ボールのある部分を反対側から体表に押し付けることで、マッサージ用ボールを介して体表に局所的な力を加えることができるよう構成されており、
体表に当てた状態で、マッサージ用ボールのある部分を反対側から体表に押し付けたときに、袋体とマッサージ用ボールの間に粒状体が挟まり、挟まれた粒状体が形成する凹凸により体表を刺激可能に構成されたことを特徴とする温熱パッド。
【請求項２】
前記複数の粒状体は、粒径１〜５ｍｍであり、前記マッサージ用ボールは、直径１．５〜３．５ｃｍの略球状をなしていることを特徴とする請求項１に記載の温熱パッド。
【請求項３】
前記袋体は、通気性の布で構成されており、
前記複数の粒状体は、吸湿性を有し、電磁波で加熱されることによって、吸収した水分を蒸気として放出することを特徴とする請求項１又は請求項２に記載の温熱パッド。
【発明の詳細な説明】
【技術分野】
【０００１】
本発明は、電子レンジ等で加熱して体を温めるのに用いる温熱パッドに関する。
【背景技術】
【０００２】
体に当てて体を温める温熱パッドは、温熱治療や冷えの防止、疲労回復などに用いられている。こうした温熱パッドにあって、近年では、電磁波で加熱可能な粒状体を袋体に充填し、電子レンジで加熱して用いるものが提案されている（例えば、特許文献１）。
【先行技術文献】
【特許文献】
【０００３】
【特許文献１】特許３１０１７２８号公報
【発明の概要】
【発明が解決しようとする課題】
【０００４】
上記特許文献１に記載の温熱パッドは、体を温めることはできるものの、温めている部分を物理的にマッサージすることは困難である。温熱パッドの裏側から指や掌で体表側に力を加えても、内部に充填された細かい粒状体が力を周囲に分散させてしまい、体表に局所的な力を加えることができないためである。温熱パッドを薄くすれば、体表に局所的な力を加え易くなるが、熱容量が小さくなって冷め易くなるため現実的ではない。
【０００５】
本発明は、かかる現状に鑑みて為されたものであり、温めている部分を適切にマッサージすることのできる温熱パッドの提供を目的とする。
【課題を解決するための手段】
【０００６】
本発明は、扁平な袋体に、電磁波によって加熱可能な複数の粒状体と、袋体の厚みの半分以上の直径を有するマッサージ用ボールとを充填してなる温熱パッドである。
【０００７】
かかる構成にあっては、マッサージ用ボールの位置する部分を裏側から指や掌で体表に押し付けることで、体表に局所的な力を加えることができる。すなわち、袋体に粒状体だけを充填した温熱パッドは、粒状体が細かいために、裏側から加わる力が周囲に伝播して分散してしまい、体表に局所的な力を加えることができないが、本発明では、粒状体よりもはるかに大きいマッサージ用ボールを介して力を加えることで、力を周囲に分散させることなく、パッドの裏側から体表に局所的な力を加えることができるのである。このため、本発明の温熱パッドによれば、加熱した温熱パッドを体表に当てて、マッサージ用ボールの存在する部分を裏側から指や掌で体表に押し付けることで、体表を温めつつ、温めている箇所を押圧したり揉捏したりすることができ、温熱効果と同時にマッサージ効果を得ることが可能となる。
【０００８】
また、本発明にあっては、マッサージ用ボールは粒状体とともに袋体に充填されているため、マッサージ用ボールを体表側に押し付けると、マッサージ用ボールと袋体の布地の間に粒状体が挟まれることとなる。このため、マッサージ用ボールを押し付けてマッサージを行う際には、この挟まれた粒状体が形成する凹凸部分が体表に押し付けられることになり、これにより、体表を強く刺激して、より高いマッサージ効果を得ることができる。
【０００９】
また、本発明の温熱パッドは、袋体に充填された粒状体が流動することで、体表の形状に倣うように柔軟に変形することができるため、顔や肩などの起伏が激しい部分でも、適切に温めながらマッサージを行うことができる。
【００１０】
なお、本発明に係るマッサージ用ボールは、真球状に限らず、楕円体状を採用することもできる。そして、本発明にあって、マッサージ用ボールを楕円体状にする場合には、楕円体の短い方の直径が袋体の厚みの半分以上となるように構成すればよい。
【００１１】
また、本発明にあって、前記複数の粒状体は、粒径１〜５ｍｍであることが好ましい。粒状体が粒径５ｍｍ以下であれば、体表の形状に合わせて適度な倣い作用を発揮することができる。また、粒状体が粒径１ｍｍ以上であれば、マッサージ用ボールを体表に押し付けた時に、ボール表面の粒状体によって体表に適度な刺激を付与することができ、また、粒状体が袋体の隙間から漏れ出難いという利点もある。一方、前記マッサージ用ボールは、直径１．５〜３．５ｃｍの略球状をなしていることが望ましい。かかる構成とすれば、マッサージ用ボールが親指大の大きさとなるため、体表のツボを押圧するのに適したものとなる。
【００１２】
また、本発明にあって、前記袋体は、通気性の布で構成されており、前記複数の粒状体は、吸湿性を有し、電磁波で加熱されることによって、吸収した水分を蒸気として放出することが提案される。かかる構成にあっては、温熱パッドを加熱すると、温熱パッドの周囲に蒸気が放出されることとなり、体を高湿度条件下で温めながら効果的なマッサージを行うことが可能となる。
【発明の効果】
【００１３】
以上に述べたように、本発明によれば、マッサージ用ボールを体表側に押圧することにより、体を温めながら当該箇所を適切にマッサージすることが可能となる。また、本発明にあっては、マッサージ用ボールを体表に押し付けた際に、マッサージ用ボールと体表の間に挟まれた粒状体が体表を刺激することとなるため、より高いマッサージ効果を得ることができる。また、本発明の温熱パッドは、体表の起伏に倣うように柔軟に変形できるため、顔や肩などの比較的起伏に富んだ部分も温めながら適切にマッサージをすることができる。
【図面の簡単な説明】
【００１４】
【図１】実施例の温熱パッド１の斜視図である。
【図２】実施例の温熱パッド１の平面図である。
【図３】実施例の温熱パッド１の縦断側面図である。
【図４】実施例の温熱パッド１の横断面図である。
【図５】温熱パッド１の使用方法を示す説明図である。
【図６】温熱パッド１の使用方法を示す説明図である。
【図７】温熱パッド１の別の使用方法を示す説明図である。
【図８】他の実施例の温熱パッド１ａを示す平面図である。
【発明を実施するための形態】
【００１５】
本発明の実施形態を、以下の実施例に従って説明する。
【００１６】
本実施例の温熱パッド１は、図１，２に示すように、平面視ハート型の扁平形状をなしている。温熱パッド１の好適なサイズとしては、縦横のサイズが７〜１５ｃｍで厚みが２．５〜４．５ｃｍが挙げられる。
【００１７】
温熱パッド１は、図３，４に示すように、袋体２に多数の粒状体３と一個のマッサージ用ボール４を充填してなるものである。粒状体３とマッサージ用ボール４は、袋体２の内部で流動できる程度に余裕をもって袋体２に充填されている。
【００１８】
袋体２は、通気性を有する一般的な布を平面視ハート型に縫製してなるものである。袋体２の内部には区画は存在せず、粒状体３及びボール４が内部を自由に流動し得るよう構成されている。袋体２を形成する布の種類は特に限定されないが、柔軟で破れ難い、耐熱性の布を用いることが望ましい。
【００１９】
粒状体３は、粒径２〜３ｍｍ程度の小粒であり、袋体２の内部に多数充填される。一方、マッサージ用ボール４は、直径約２．５ｃｍの球状体であり、粒状体３と混ざるようにして、袋体２の内部に一個だけ収容される。粒状体３及びマッサージ用ボール４は、電子レンジの電磁波で加熱可能な吸湿性セラミックで構成されている。
【００２０】
以下に、上記温熱パッド１の使用方法について説明する。
温熱パッド１を使用する場合は、まず、電子レンジを用いて、吸湿性セラミックからなる粒状体３及びマッサージ用ボール４を加熱する。加熱条件は温熱パッド１のサイズによるが、５００Ｗの電子レンジで数分程度加熱することで、温熱パッド１を十分な温度に加熱できる。この時、粒状体３及びマッサージ用ボール４は、単に加熱されるだけでなく、粒状体３及びマッサージ用ボール４に含まれていた水分が蒸気となり、発生した蒸気が袋体２の布地を通過して温熱パッド１の表面に放出される。
【００２１】
加熱した温熱パッド１は、図５（ａ）に示すように、直接又は服などの上から体表１０に当てることで体を温めることができる。この時、温熱パッド１からは蒸気が放出しているため、温熱パッド１を当てた部分は高湿度条件下で温められることとなる。温熱パッド１を当てる体の部分は特に限定されないが、首や肩、顔、デコルテ、足裏、ふくらはぎ、背中などが挙げられる。
【００２２】
図５（ｂ）に示すように、温熱パッド１を体表１０に当てた状態で、マッサージ用ボール４のある部分を反対側から体表１０に押し付ければ、マッサージ用ボール４を介して体表１０に局所的な力を加えることができ、体表１０を温めながら当該箇所を押圧マッサージすることができる。また、体表１０にマッサージ用ボール４を押し付けた状態で、マッサージ用ボール４を体表１０に沿って動かせば、温熱パッド１で温めている箇所に揉捏マッサージを行うことができる。
【００２３】
ここで、マッサージ用ボール４を体表１０に押し付ける際には、図５（ｂ）に示すように、袋体２の布地の摩擦力によって、袋体２とマッサージ用ボール４の間に粒状体３が挟まることとなる。このため、マッサージ用ボール４を押し付けてマッサージを行う際には、この挟まれた粒状体３が形成する凹凸が体表１０を刺激することとなり、これにより、マッサージ用ボール４の円滑な表面で押圧するよりも強い刺激を体表１０に与えることができる。
【００２４】
また、温熱パッド１は、袋体２に充填された粒状体３が内部で流動することで、比較的起伏のある部分であっても、体表１０の形状に倣うように変形することができる。このため、本実施例の温熱パッド１は、図６に示すように、鼻の周囲などの起伏の多い場所であっても体表にも被着させて、当該部分を確実に温めることができ、また、かかる被着状態で体表１０にマッサージ用ボール４を押し付けることで、確実にマッサージ効果を得ることができる。
【００２５】
以上のように、本実施例の温熱パッド１によれば、体を温めながら、温めている部分に局所的な力を加えてマッサージを行うことが可能となる。そして、マッサージを行う際には、粒状体３を体表１０に押し付けることで、マッサージ用ボール４を直接押し付けるよりも、体表１０に強い刺激を与えることができる。さらには、粒状体３が流動することで、体表の比較的起伏の富んだ箇所でも適切に温めながらマッサージを行うことができる。
【００２６】
図７は、本実施例の温熱パッド１の別の使用例を示したものである。かかる使用例にあっては、帯状のゴムバンド５に複数形成されたポケット６に加熱済みの温熱パッド１を収容し、該ゴムバンド５を体幹や脚部に巻きつけて、ゴムバンド５の両端に設けられた面ファスナー７，７を接合することによって、ゴムバンド５を体に巻き付けた状態で固定する。かかる使用方法にあって、ゴムバンド５を体幹や脚部を締め付けるように巻き付ければ、ゴムバンド５の伸縮力によって、温熱パッド１を体表に密着させることができ、また、マッサージ用ボール４を体表側に押し付けることもできる。
【００２７】
図８は、他の実施例の温熱パッド１ａを示すものである。本実施例にあっては、帯状の袋本体８の長手方向に沿って、三つの袋体２ａが設けられており、各袋体２ａに粒状体３とマッサージ用ボール４とが充填される。かかる温熱パッド１ａは、袋本体８を電子レンジによって加熱し、袋本体８を体表に当てた状態で両端に設けられた紐９，９を結ぶことによって体に装着するものである。かかる温熱パッド１ａにあっても、体表に当てた状態で、各袋体２ａに充填されたマッサージ用ボール４を体表に押し付けることで、温めている箇所を適切にマッサージすることができる。このように、本発明の温熱パッドは、一つの袋体のみで構成されるものに限らず、複数の袋体で構成することもできる。
【００２８】
なお、本発明の温熱パッドは、上記実施例の形態に限らず本発明の要旨を逸脱しない範囲内において種々変更を加えることができる。例えば、本発明の温熱パッドは、電子レンジの電磁波で加熱する専用品に限らず、その他の加熱手段によっても加熱し得るものであっても構わない。また、体を温めるだけでなく、冷蔵庫等で冷やしてから体表に当てることによって、体を冷やすのにも用い得るものであってもよい。また、上記実施例では、一つの袋体につきマッサージ用ボールが一個充填されているが、マッサージ用ボールを一つの袋体に二個以上充填しても構わない。
【符号の説明】
【００２９】
１，１ａ  温熱パッド
２，２ａ  袋体
３  ビーズ
４  マッサージ用ボール
５  ゴムバンド
６  ポケット
７  面ファスナー
８  袋本体
９  紐
１０  体表
【図１】
0006004632.tif 000002
【図２】
0006004632.tif 000003
【図３】
0006004632.tif 000004
【図４】
0006004632.tif 000005
【図５】
0006004632.tif 000006
【図６】
0006004632.tif 000007
【図７】
0006004632.tif 000008
【図８】
0006004632.tif 000009